(57)【要約】【課題】  本発明は帯状長尺に製造された面状発熱体本体を裁断して、製品に必要な長さの面状発熱体に形成するものにおいて、長尺面状発熱体形成時に、必要な定尺Lの長さ裁断部分に電気絶縁布部分を設けることにより、緯糸が斜行しても裁断時に発熱面の緯糸が切断されることがなく、よって電流集中することによる発熱斑が生じることがない面状発熱体を提供しようとするものである。【解決手段】    両側に、縦糸状に良導電線の電極を配した織布に電気抵抗発熱塗料を塗布するか、同じ塗料を塗布した電気抵抗発熱緯糸を織り込んでなる帯状の面状発熱体本体において、使用定尺長位置に絶縁布部を設け、この絶縁布部で裁断したことを特徴とする面状発熱体である。【選択図】  図１
2007194003.tif 000002
【特許請求の範囲】
【請求項１】
両側に、縦糸状に良導電線の電極を配した織布に電気抵抗発熱塗料を塗布するか、同じ塗料を塗布した電気抵抗発熱緯糸を織り込んでなる帯状の面状発熱体本体において、使用定尺長位置に絶縁布部を設け、この絶縁布部で裁断したことを特徴とする面状発熱体。
【発明の詳細な説明】
【技術分野】
【０００１】
本発明は、両側に、縦糸状に良導電線の電極を配した織布にカーボン樹脂塗料など電気抵抗発熱する塗料を塗布するか、同じ塗料を塗布した電気抵抗発熱緯糸を織り込んで、電極に電気を通ずることにより塗布部分或は発熱緯糸が発熱する面状発熱体に関する。
【背景技術】
【０００２】
従来の面状発熱体は、図３に示すように、両側縦糸に銅線等良導電線を織り込んでなる電極１，２を設けた織布にカーボン樹脂塗料等電気抵抗発熱する塗料を塗布、もしくは同塗料を糸に塗布した発熱緯糸を織り込んで長尺帯状態に形成された面状発熱体本体を必要長さの定尺Ｌに裁断ア、イして供される。
【０００３】
このような面状発熱体は主として緯糸に沿って電気が流れ電気抵抗発熱する。然しこの長尺帯状態の面状発熱体の緯糸は、電気絶縁フィルムの張り合わせ等の製造工程において斜行することから、定尺Ｌに裁断したとき図４に示されるように裁断端部の緯糸は斜行状態のまま裁断される。従って図４のように裁断された上端の緯糸は左から短く、下端の緯糸は右から短くなる。よって緯糸に沿って流れる電流は電極１，２間に渡ることがなく、隣接する緯糸に移るため図４のＡ，Ｂ部分に集中する。このために電流集中したＡ，Ｂ部分は高温となり、又Ｃ，Ｄ部分は低温となる等の温度斑を生ずる。
【０００４】
この種の面状発熱体は面全体の温度が均一に発熱されることが条件であり、発熱温度に斑が生じると温度制御するための温度センサーの配置が一定にされないばかりでなく、温度制御時において高温発熱する部分はますます高温に暴走する危険があり、ひいては面状発熱体を焼損する虞がある。
【発明の開示】
【発明が解決しようとする課題】
【０００５】
本発明は上述した帯状長尺に製造された面状発熱体本体を裁断して、製品に必要な長さの面状発熱体に形成するものにおいて、長尺面状発熱体形成時に、必要な定尺Lの長さ裁断部分に電気絶縁布部分を設けることにより、緯糸が斜行しても裁断時に発熱面の緯糸が切断されることがなく、よって電流集中することによる発熱斑が生じることがない面状発熱体を提供しようとするものである。
【０００６】
すなわち、織布は織機に架かっている間は緯糸が斜行するようなことは生じないが、織機から外され塩ビ等電気絶縁フイルム等を張り合わせる工程において、張力が掛かるために緯糸が斜行したり湾曲したりすることが免れ得ない。このように、緯糸が斜行したり、湾曲したりすると、使用定尺寸法に裁断したとき、緯糸が裁断端縁において中途切断されることになり、長短尺のばらつきが生じ、このように緯糸が切断されると電流は隣接する緯糸に移り流れることになり、長尺面状発熱体の切断端縁近傍において電流の粗密部分が形成されて発熱斑を生じることになる。
【０００７】
このような、発熱斑を無くする手段としては、発熱緯糸が電極間１，２に渡っていなければならなく、途中で切断される構成になってはならない。しかしながら、製造過程において緯糸の斜行を無くすことは極めて困難であり、全発熱面を帯状態に形成したこの種の面状発熱体本体を裁断して使用に供される面状発熱体においては大きな欠点であった。
【課題を解決するための手段】
【０００８】
本発明は上記欠点を解消するため、  両側に、縦糸状に良導電線の電極を配した織布に電気抵抗発熱塗料を塗布するか、同じ塗料を塗布した電気抵抗発熱緯糸を織り込んでなる帯状の面状発熱体本体において、使用定尺長位置に電気絶縁の普通の緯糸よりなる絶縁布部を設け、この絶縁布部で裁断したことを特徴とする面状発熱体を提供するものである。
【発明の効果】
【０００９】
このように、電気絶縁布部を予め必要裁断部分毎に形成して、この電気絶縁布部で裁断することによって、例え緯糸が斜行しても発熱緯糸が途中で裁断されることがなく、よって電流集中することがなく、発熱斑のない面状発熱体を提供できる。したがって、このように形成された面状発熱体は発熱斑が生じないことから、温度制御のための温度センサー設置位置に制約がなく、高発熱温部が形成されることもないことから、熱暴走する虞れのない面状発熱体を提供できる。
【発明を実施するための最良の形態】
【００１０】
本発明は、織布にカーボン樹脂塗料等電気抵抗発熱塗料を塗布する面状発熱体においては、織布を織る際において裁断部に相当する箇所毎に離型剤を塗布した緯糸を織り込み、電気抵抗発熱塗料を塗布してもその部分は塗着しない電気絶縁布部分を形成するか、もしくは電気抵抗発熱塗料を予め緯糸に塗布したものを使用して面状発熱織布に形成するものにおいては、電気抵抗発熱塗料を塗布しない普通の緯糸を裁断部に相当する箇所に織り込むことによって電気絶縁布部分を形成して、この電気絶縁布部分で裁断することによって、例え緯糸が湾曲あるいは斜行しても発熱緯糸が裁断されることがなく、裁断されることによる電流集中を生じない、したがって発熱斑のない面状発熱体を実現できる。
【実施例１】
【００１１】
本発明の一実施例を図１、図２に基づいて説明する。図１は面状発熱体３の使用状態を示すものであり、両側に銅線のごとき電気良導体からなる線を縦糸として複数本織り込んでなる電極４，５を設けて、これら電極４，５に渡ってカーボン樹脂塗料等電気抵抗発熱塗料を塗布するか、もしくは同電気抵抗発熱塗料を塗布した発熱糸を緯糸として織り込んだ発熱面６を形成してなる。このような、面状発熱体３は、その必要長さｌのとき、両端部分に１cmないし２cmの電気絶縁布部ｌ’、ｌ’を形成している。
【００１２】
電気絶縁布部ｌ’、ｌ’は、電気抵抗塗料を織布に塗布して発熱面６を形成するときは、離型剤を塗布した緯糸を、織布を織るときに予め織り込んでおくことによって同塗料がその部分に塗着しないか、或は、電気抵抗塗料を塗布した発熱糸を織布の緯糸として織り込むもののときは、発熱糸でない普通の糸を緯糸として織り込むことによって形成される。
【００１３】
図１に示す面状発熱体３は、図２に示す帯状長尺に形成された長尺面状発熱体本体７を裁断して形成される。この場合、裁断長ｌはその裁断端縁毎に電気絶縁布部ｌ’、ｌ’、すなわち２ｌ’が形成され、この電気絶縁布部２ｌ’の略中央にて裁断されることにより、電気絶縁布部分を有した面状発熱体３として形成されている。
【００１４】
なお、長尺面状発熱体本体７はその表裏面に電気絶縁被覆として、図示しない塩ビフイルム等電気絶縁フイルムが張り合わされている。
【００１５】
以上のよう、面状発熱体本体７を帯状長尺に形成して、これを必要長さに裁断して使用長さの面状発熱体３として形成するするものにおいて、裁断端縁部分に電気絶縁布部分を形成することにより、電気絶縁塩ビフイルム等を張り合わせる場合に、緯糸が例え斜行するようなことがあっても、その発熱面を形成する発熱緯糸が途中裁断されることがない。したがって、全ての発熱緯糸は電極間に渡って設けられることになり、途中裁断による電流集中が生じないことから、発熱斑を生じることがない安全な面状発熱体を提供できる。
【産業上利用の可能性】
【００１６】
本発明の面状発熱体は電極４，５に接続端子を介してリード線を接続し、かつ、温度制御のための温度センサーを設置することにより、電気布団、電気カーペット等家庭用電気採暖具として、また温熱家庭用電気治療器として利用できるものである。
【図面の簡単な説明】
【００１７】
【図１】図1は本発明に係る面状発熱体の平面説明図。
【図２】帯状長尺に形成された裁断前の面状発熱体本体の平面説明図。
【図３】従来の、帯状長尺に形成された裁断前の面状発熱体本体の平面説明図。
【図４】従来の、必要長さに裁断した面状発熱体で、温度斑の生じる箇所を示した平面説明図。
【符号の説明】
【００１８】
３は面状発熱体
４は電極
５は電極
６は発熱面
７は帯状長尺の面状発熱体本体
Ａ、Ｂは高温発熱部
Ｃ、Ｄは低温発熱部
【図１】
2007194003.tif 000003
【図２】
2007194003.tif 000004
【図３】
2007194003.tif 000005
【図４】
2007194003.tif 000006